(57)【要約】【課題】二人以上の人が同じ部屋で別々の時間に就寝する場合、別の時間に入室した二人目以降には就寝モードが適用されなかったり、夜中に起きて再度就寝した場合、就寝モードが解除されていて就寝の妨げになる。【解決手段】就寝モードが実行されてからの時間を計時する第一計時手段と、就寝モード実行中の室内の照度変化時間を計時する第二計時手段を備え、就寝モードの開始後に、送風機の回転数を所定の低回転数以下に抑制する静音モードに移行するとともに、第一計時手段の計時した時間が所定の寝入り時間を越えた場合に静音モードを解除し、就寝モードの実行中に第二計時手段により計時した時間が所定の微小時間以上である場合には第一計時手段の計時をリセットして再計時を開始後、静音モードで動作中であるか否かを判定し、静音モードで動作中である場合にはそのまま運転を継続し、静音モードで動作中では無い場合には静音モードに移行する加湿装置。【選択図】図５
2017058095.tif 000002
【特許請求の範囲】
【請求項１】
吸気口と排気口とを有する本体と、
前記吸気口から前記本体内に空気を吸気して前記排気口より排気する送風機と、
前記吸気口から前記本体内に吸気された空気を加湿する加湿手段と、
前記本体の周囲の照度を検出する照度センサと、
前記照度センサからの出力と所定の照度閾値とに基づいて明るい状態である明状態か暗い状態である暗状態かを判定する照度判定手段と、
就寝時における運転制御である就寝モードを実行する制御手段と、
前記就寝モードが実行されてからの時間を計時する第一計時手段と、
前記就寝モードの実行中に前記照度判定手段による判定が暗状態から明状態に移行した場合に当該移行から次回前記照度判定手段が暗状態と判定するまでの時間を計時する第二計時手段を備え、
前記制御手段は、
前記就寝モードの開始後に、
前記送風機の回転数を所定の低回転数以下に抑制する静音モードに移行し、
前記第一計時手段の計時した時間が所定の寝入り時間を越えた場合に前記静音モードを解除し、
前記就寝モードの実行中に前記第二計時手段により計時した時間が所定の微小時間以上である場合には前期第一計時手段の計時をリセットして再計時を開始後、前記静音モードで動作中であるか否かを判定し、
静音モードで動作中の場合はそのまま運転を継続し、
静音モードで動作中では無い場合には前記静音モードに移行する加湿装置。
【請求項２】
前記制御手段は、
前記就寝モード中に前記第二計時手段により計時した時間が前記所定の微小時間以上かつ所定の時間より小さい場合には前記第一計時手段の計時をリセットして再計時を開始後、前記静音モードで動作中であるか否かを判定し、
静音モードで動作中の場合はそのまま運転を継続し、
静音モードで動作中では無い場合には前記静音モードに移行し、
前記第二計時手段により計時した時間が前記所定の時間以上である場合には前記就寝モードを解除する請求項１記載の加湿装置。
【請求項３】
さらに前記就寝モードが実行されてからの累積時間を計時する累積時間計時手段を備え、
前記制御手段は、
前記累積時間計時手段による累積時間が所定の睡眠時間を越えた場合に前記就寝モードを解除する請求項１または２に記載の加湿装置。
【請求項４】
さらに前記加湿手段が備える貯水タンクと、
前記貯水タンクの渇水を判定する渇水判定手段と、
前記制御手段からの信号に基づいて警報音を発する警報手段とを備え、
前記制御手段は、
前記渇水判定手段によって渇水と判定された場合、
さらに就寝モードで動作中か否かを判定し、
就寝モードで動作中の場合には前記警報手段に警報音を鳴らす旨の信号を送信しない請求項１から３のいずれかに記載の加湿装置。
【発明の詳細な説明】
【技術分野】
【０００１】
本発明は、水蒸気又は霧を放出して加湿する加湿手段を備えた加湿装置に関するものである。
【背景技術】
【０００２】
従来、この種の加湿装置において、照度センサによって部屋の明るさを検知し、モータの回転数や表示ランプの明るさを調整することで、使用者が快適に就寝できる就寝モードが搭載されている（特許文献１参照）。
【先行技術文献】
【特許文献】
【０００３】
【特許文献１】特開２００９−６８７６３号公報
【発明の概要】
【発明が解決しようとする課題】
【０００４】
上記のような従来の加湿装置の就寝モードは、一度使用者が就寝しやすいように回転数や表示ランプの明るさを調整したあと、一定時間経過後に使用者が就寝に入ったと判断し運転を停止または解除する。
【０００５】
しかし、上記の就寝モードでは二人以上の人が別々の時間に就寝する場合、一人目に対しては就寝モードが適用されるが、別の時間に入室した二人目以降には就寝モードが適用されないという課題がある。
【０００６】
また、夜中に例えば用を足して再度就寝した場合にも、就寝モードが解除されていて就寝の妨げになるという課題がある。
【０００７】
そこで本発明は、上記従来の課題を解決するものであり、就寝モードを適用するシーンを拡大した使用勝手の良い加湿装置を提供することを目的とする。
【課題を解決するための手段】
【０００８】
そして、この目的を達成するために、本発明に係る加湿装置は、吸気口と排気口とを有する本体と、前記吸気口から前記本体内に空気を吸気して前記排気口より排気する送風機と、前記吸気口から前記本体内に吸気された空気を加湿する加湿手段と、前記本体の周囲の照度を検出する照度センサと、
前記照度センサからの出力と所定の照度閾値とに基づいて明るい状態である明状態か暗い状態である暗状態かを判定する照度判定手段と、就寝時における運転制御である就寝モードを実行する制御手段と、前記就寝モードが実行されてからの時間を計時する第一計時手段と、前記就寝モードの実行中に前記照度判定手段による判定が暗状態から明状態に移行した場合に当該移行から次回前記照度判定手段が暗状態と判定するまでの時間を計時する第二計時手段を備え、前記制御手段は、前記就寝モードの開始後に、前記送風機の回転数を所定の低回転数以下に抑制する静音モードに移行し前記第一計時手段の計時した時間が所定の寝入り時間を越えた場合に前記静音モードを解除し、前記就寝モードの実行中に前記第二計時手段により計時した時間が所定の時間以上である場合には前期第一計時手段の計時をリセットして再計時を開始後、前期静音モードで動作中であるか否かを判定し、
静音モードで動作中の場合はそのまま運転を継続し、
静音モードで動作中では無い場合には前期静音モードに移行する加湿装置。
【０００９】
であり、これにより所期の目的を達成するものである。
【発明の効果】
【００１０】
本発明によれば、就寝モードを適用するシーンを拡大した使用勝手の良い加湿装置加湿装置を提供することができる。
【図面の簡単な説明】
【００１１】
【図１】本発明の実施の形態１に係る加湿装置の概要を示す図
【図２】本発明の実施の形態１に係る加湿装置の制御ブロックを示す図
【図３】本発明の実施の形態１に係る加湿装置の操作・表示パネルを示す図
【図４】本発明の実施の形態１に係る就寝モード制御部ブロックを示す図
【図５】本発明の実施の形態１に係る就寝モードのフローチャート
【図６】本発明の実施の形態１に係る就寝モードの詳細な動作例を示すタイミングチャート
【図７】本発明の実施の形態２に係る就寝モードのフローチャート
【図８】本発明の実施の形態３に係る就寝モード制御部ブロック図を示す図
【図９】本発明の実施の形態３に係る就寝モードのフローチャート
【発明を実施するための形態】
【００１２】
本発明に係る加湿装置は、吸気口と排気口とを有する本体と、前記吸気口から前記本体内に空気を吸気して前記排気口より排気する送風機と、前記吸気口から前記本体内に吸気された空気を加湿する加湿手段と、前記本体の周囲の照度を検出する照度センサと、前記照度センサからの出力と所定の照度閾値とに基づいて明るい状態である明状態か暗い状態である暗状態かを判定する照度判定手段と、就寝時における運転制御である就寝モードを実行する制御手段と、前記就寝モードが実行されてからの時間を計時する第一計時手段と、前記就寝モードの実行中に前記照度判定手段による判定が暗状態から明状態に移行した場合に当該移行から次回前記照度判定手段が暗状態と判定するまでの時間を計時する第二計時手段を備え、前記制御手段は、前記就寝モードの開始後に、
前記送風機の回転数を所定の低回転数以下に抑制する静音モードに移行し前記第一計時手段の計時した時間が所定の寝入り時間を越えた場合に前記静音モードを解除し、前記就寝モードの実行中に前記第二計時手段により計時した時間が所定の時間以上である場合には前記静音モードで動作中であるか否かを判定し、静音モードで動作中である場合には前記第一計時手段の計時をリセットして再計時を開始し、静音モードで動作中では無い場合には前期第一計時手段の計時を再度開始し前記静音モードに移行する。
【００１３】
これにより、就寝モードを適用するシーンを拡大した使用勝手の良い加湿装置を提供することができる。例えば、二人以上の人が別々の時間に就寝しても、二人目以降の人にも就寝モードが適用される。
【００１４】
また、一旦就寝後、夜中に例えば用を足して再度就寝した場合にも、就寝モードが機能し、通常運転による送風機の音が就寝の妨げになるということを防止できる。
【００１５】
以下、添付図面を参照して本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して二度目以降の説明を省略している。
【００１６】
（実施の形態１）
本発明の第１の実施の形態に係る加湿装置１の構成について図１を用いて説明する。
【００１７】
図１に示すように、本実施の形態に係る加湿装置１は、当該加湿装置１の内部に貯留した水を加湿手段４で吸い上げる。そして送風機５を駆動することによって、加湿手段４に室内の空気を通じて加湿し、再び室内に供給するものである。
【００１８】
加湿装置１は、本体３０と、吸気口２と、貯水タンク３と、加湿手段４と、送風機５と、排気口６と、操作・表示パネル７と湿度センサ８と、渇水判定手段９と、照度センサ１０とを備える。
【００１９】
本体３０は、加湿装置１の外郭筐体であり、当該加湿装置１の内部と外部とを区別する。本体３０は、吸気口２と排気口６とを備えている。
【００２０】
吸気口２は、本体３０の外、すなわち例えば室内に向かって開口し、当該室外の空気を本体３０内に吸い込む開口として機能する。  排気口は、本体３０の外に向かって開口し、本体３０内に吸い込まれた空気を本体３０外に排出するための開口として機能する。
【００２１】
貯水タンク３は、吸気口２から本体３０内に吸い込まれた空気を加湿するための水を貯溜し、後述する加湿手段４に水を供給する。また、貯水タンク３は、加湿装置１に出し入れ可能に収容されている。
【００２２】
加湿手段４は、例えば繊維やスポンジ状の素材からなり、内部に無数の孔を備えることで当該内部を空気が通過することができる。そして貯水タンク３から供給された水を吸い上げ、室内の空気を通し、その空気に水分を含ませることによって当該空気の加湿を行う。
【００２３】
送風機５は、吸気口２から室内の空気を本体３０内部に吸い込んで、加湿手段４にて加湿後、排気口６を通り再び室内へ排気、すなわち吹き出して循環させるためのものである。
【００２４】
操作・表示パネル７は、本体３０の上部に設けられ、加湿装置１の動作の入力を受け付けると共に現在の動作状態等を表示する機能を有するが詳細は後述する。
【００２５】
湿度センサ８は、加湿手段４によって加湿された後の空気に含まれる水分量すなわち湿度を検知する。
【００２６】
渇水判定手段９は、貯水タンク３の下部に水受けとして設けられ、貯水タンク３内の水を加湿手段４に供給するトレーの渇水状態を検知する。
【００２７】
照度センサ１０は、本体３０の上部の操作・表示パネル７上に設けられ、本体３０の周囲の明るさすなわち照度を検出する。
【００２８】
次に、加湿装置１の制御のための回路構成と動作の概略について説明する。なお図２は、本発明の加湿装置１の制御ブロック図である。また図３は、操作・表示パネル７を示す図である。
【００２９】
操作・表示パネル７は、内部にマイクロコンピュータ（以下、マイコンと称する）を備えており、当該マイコンが制御手段１４として機能する。
【００３０】
制御手段１４は、各種センサすなわち湿度センサ８、渇水判定手段９、照度センサ１０と接続されており、センサからの信号を受信することができる。また、制御手段１４は、操作・表示パネル７に備えられ、使用者からの入力を受け付ける各種ボタンすなわち運転入切スイッチ１１、風量切替スイッチ１２、就寝モード移行スイッチ１３と接続され、これらボタンへの入力を受信する。制御手段１４は、警報手段１５と接続されており、例えば加湿装置の異常時や各スイッチ操作時に制御手段１４が信号を送信することにより、警報手段から音を出力することができる。制御手段１４は、送風機制御回路１６と接続されており、当該送風機制御回路１６への信号を通じて送風機５の回転数等を制御することができる。制御手段１４は、表示輝度制御回路１７と接続されており、当該表示輝度制御回路１７を介して湿度表示ＬＥＤ１８、風量表示ＬＥＤ１９、２０、２１、就寝モード表示ＬＥＤ２２の表示のＯＮ・ＯＦＦや電流値を可変して輝度を制御する。
【００３１】
なお、各部の詳細については加湿装置１の制御の説明を通じて適宜説明する。
【００３２】
加湿装置１の操作は、まず操作・表示パネル７に配置された複数のスイッチに対する使用者の操作が制御手段１４に伝達されることで加湿装置１の運転ができる。つまり、制御手段１４が加湿装置１を統括制御する。
【００３３】
即ち、使用者の運転入切スイッチ１１への操作で制御手段１４は、加湿装置１の電源の入切を行う。また風量切替スイッチ１２への操作で制御手段１４は、順に「弱運転」、「中運転」、「強運転」に設定する。また就寝モード移行スイッチ１３への操作で制御手段１４は、運転を就寝モードに移行する。
【００３４】
さらに、加湿装置１の運転中は各風量に対応した風量表示ＬＥＤ１９、２０、２１が点灯し、就寝モード中は風量表示ＬＥＤ１９、２０、２１の代わりに就寝モード表示ＬＥＤ２２が点灯する。また、湿度センサ８の検出値に基づいて制御手段１４は、室内の現在湿度を２つの７セグメントＬＥＤから成る湿度表示ＬＥＤ１８によって表示する。
【００３５】
次に、加湿装置１の就寝モード時の動作について図４及び図５を用いて説明する。なお図４は、本発明の加湿装置１の就寝モードブロック図である。また図５は、就寝モードのフローチャートである。
【００３６】
使用者が就寝モード移行スイッチ１３を押すことで、制御手段１４は、就寝モード運転を開始する（ステップＳ１０１）。
【００３７】
就寝モード運転に移行すると、第一計時手段２３は計時を開始する。つまり第一計時手段２３は、就寝モード運転が実行されてからの時間を計時する（ステップＳ１０２）。
【００３８】
次に、照度判定手段２４は、照度センサ１０からの出力を取得し、すなわち室内の照度を検知する。そして照度判定手段２４は、照度センサ１０からの出力と所定の照度閾値とに基づいて、明るい状態である明状態か暗い状態である暗状態かを判定することにより、室内の明暗状態を判定する。
【００３９】
さらに、制御手段１４は、送風機制御回路１６を介して送風機５に信号を送ることで送風機５の回転数を下げ、すなわち静音モードへ移行する（ステップＳ１０３）。ここで静音モードとは、送風機５の回転数を予め決められた回転数以下に下げることによって、送風により発生する騒音を抑制するモードを言う。静音モードでは、送風機５による送風量が低下するが、騒音を下げることができる。
【００４０】
続いて就寝判定手段２５は、第一計時手段２３によって計時された時間と予めメモリに記憶された所定の寝入り時間とを比較する。ここで所定の寝入り時間とは、人が睡眠に入ってから深い眠りに達するまでの時間を指し、例えば１時間以上２時間以下の範囲とすることができる。
【００４１】
ここで、就寝判定手段２５によって第一計時手段２３が所定の寝入り時間以上と判定された場合、使用者が就寝に入ったと判定し静音モードを解除する（ステップＳ１０４Ｙｅｓ→Ｓ１０５）。静音モードの解除とは、すなわち送風機５の回転数を就寝モードにする前のモードに戻すことを指し、ここでは例えば湿度に応じて加湿能力を変更する通常モードである。
【００４２】
これにより、所定の寝入り時間以上を経過することにより、使用者がある程度深い眠りにつき、すなわち送風機５が発生する騒音よりも加湿能力を重視した状態に移行する。
【００４３】
なお、本実施の形態１に係る就寝モード運転については、所定の睡眠時間が経過し、あるいは就寝モード運転中に再び就寝モード移行スイッチ１３を押すことで、就寝モードを解除することができる（ステップＳ４０１）。
【００４４】
また、就寝モード運転中は、ステップＳ１０１からＳ１０５までのフローとは別に常時照度判定手段２４による室内の照度の判定、つまり割り込み処理Ａを行っている。割り込み処理Ａの処理手順について説明する。
【００４５】
就寝モードでの運転中において室内の照度が暗状態から明状態へ移行したとき、第二計時手段２６は再び室内が暗状態に移行するまでの時間を測定する。つまり、第二計時手段２６は就寝モード運転中に暗状態から明状態に移行した場合に当該移行からさらに暗状態と判定するまでの時間を測定する。この照度の変化は、使用者が夜中に用を足しに部屋を出るときや別の人が入室するときの扉の開閉及び照明点灯や、カーテンの隙間から漏れる車のライトや電灯の光が原因で起こる。
【００４６】
第二計時手段２６による時間の測定が終了すると、割り込み処理Ａが開始され、入室判定手段２７によって第二計時手段２６で計時された時間と予めメモリに記憶された所定の微小時間とを比較する（ステップＳ２０１）。ここで所定の微小時間とは、第二計時手段２６で測定した時間が、カーテンの隙間から漏れる車のライトや電灯の光などによる短い期間の照度変化なのか、人の入室に伴う扉の開閉や照明点灯によるある程度長い期間の照度変化なのかを判定する閾値を指し、例えば１秒以上２０秒以下の範囲とすることができる。
【００４７】
ここで、入室判定手段２７によって第二計時手段２６が所定の微小時間以上と判定された場合、人の入退室があったと判定し第一計時手段２３をリスタートする（ステップＳ２０１Ｙｅｓ→Ｓ２０２）。つまり、第一計時手段２３の計時をリセットして再計時を開始する。  そして、さらに静音モードで動作中であるかを判定し、静音モードで動作中の場合はそのまま運転を継続する（ステップ２０３Ｙｅｓ→Ｓ１０４）。また、静音モードで動作中では無い場合には静音モードに移行する（ステップ２０３Ｎｏ→Ｓ１０３）。
【００４８】
なお、入室判定手段２７によって第二計時手段２６が所定の微小時間より小さいと判定された場合、人の入退室がなかったと判定し、割り込み処理Ａを終了する（ステップＳ２０１Ｎｏ）。
【００４９】
なお、割り込み処理Ａは、第二計時手段の測定が終了する度に処理するものとする。
【００５０】
これにより、使用者が夜中に起きて再び寝るときや別の人が入室したときも、再び就寝モードを適用することができ、より快適な就寝を行うことができる。
【００５１】
次に、就寝運転モードの詳細な動作例を図６に示す。
【００５２】
図６の動作例では、以下のような状況を想定している。
【００５３】
まず、使用者が就寝モードを開始する（ステップＡ）。
【００５４】
次に、使用者が就寝に入るために室内の照明を消す（ステップＢ）。
【００５５】
その後、夜中に用を足すため使用者が部屋の扉を開ける（ステップＣ）。
【００５６】
次に、使用者が用を足し終わり部屋に戻り、部屋の扉を閉める（ステップＤ）。
【００５７】
その後、風によりカーテンが動き、隙間から短い期間光が差し込む（ステップＥ、Ｆ）。
【００５８】
その後、別の人が入室するために部屋の扉を開ける（ステップＨ）。
【００５９】
次に、別の人が部屋の扉を閉める（ステップＩ）。
【００６０】
上記のような状況の各ステップにおいて、照度判定手段２４と第一計時手段２３及び第二計時手段２６がどのような動作をするのかを以下に示す。
【００６１】
就寝運転モード開始後、第一計時手段２３の測定を開始し、静音モード運転を開始する（ステップＡ）。
【００６２】
次に使用者が室内照明を消すことで、照度判定手段２４により暗状態と判定される（ステップＢ）。  その後使用者が用を足すため部屋の扉が開けられ暗状態から明状態へ移行し、第二計時手段２６の計時を開始する（ステップＣ）。  次に使用者が部屋に戻り部屋の扉が閉められ、明状態から暗状態へ移行し第二計時手段２６の測定を終了し、入室判定手段２７によって第二計時手段２６が所定の微小時間以上だと判定され、第一計時手段２３をリスタートする（ステップＤ）。
【００６３】
その後カーテンの隙間から差し込む光による微妙な照度の変化により暗状態から明状態へ移行し、第二計時手段２６の測定を開始する（ステップＥ）。
【００６４】
次に再び暗状態へ移行し第二計時手段２６の測定を終了し、入室判定手段２７によって第二計時手段２６が所定の微小時間より小さいと判定され、第一計時手段２３はそのまま計時を継続する（ステップＦ）。
【００６５】
その後、第一計時手段２３が所定の寝入り時間経過し、第一計時手段２３の計時を終了し静音モード運転を解除する（ステップＧ）。
【００６６】
その後別の人が入室するために部屋の扉が開けられ暗状態から明状態へ移行し、第二計時手段２６の測定を開始する（ステップＨ）。
【００６７】
次に別の人によって部屋の扉が閉められ、明状態から暗状態へ移行し第二計時手段２６の測定を終了し、入室判定手段２７によって第二計時手段２６が所定の微小時間以上だと判定され、第一計時手段２３をリスタートし静音モード運転を開始する（ステップＩ）。
【００６８】
以上のように、本実施の形態による加湿装置によれば、使用者が就寝モードで就寝に入り、その後途中で使用者が一時的に起床し就寝するときや、別の人が入室し就寝するときでも、再度就寝モードを適用することができるため、快適な就寝をすることができる。
【００６９】
（実施の形態２）
本発明の第２の実施の形態に係る就寝モードの動作について図７にて説明する。ただし、実施の形態１と同様のフローチャートのステップについては説明を省略する。
【００７０】
実施の形態１と同様、就寝モード運転中は、ステップＳ１０１からＳ１０５までのフローとは別に常時照度判定手段２４による室内の照度の判定を行っている。
【００７１】
室内の照度が暗状態から明状態へ移行すると第二計時手段２６は、再び室内の照度が暗状態になるまでの時間を測定する。第二計時手段２６の測定が終了すると、図７にて示した割り込み処理Ａ´を開始する。
【００７２】
割り込み処理Ａ´では、入室判定手段２７によって第二計時手段２６で計時された時間が所定の微小時間以上かそうでないかの判定に加え、第二計時手段２６で計時された時間が所定の時間以上かそうでないかの判定を行う。
【００７３】
ここで所定の時間とは、第二計時手段２６で計時した時間が、使用者が就寝から目覚めたか、または朝になったかどうかを判定する閾値を指す。つまり、使用者が就寝から目覚め照明をつけたときや、朝になり外が明るくなったときが該当し、照度判定手段２４は非常に長い期間明状態を継続することになる。第二計時手段２６が、その長い期間であるかを判定する閾値が所定の時間であり、例えば１分以上１０分以下の範囲とすることができる。つまり所定の微小時間より長い時間である。
【００７４】
以下、割り込み処理Ａ´の流れについて説明する。
【００７５】
第二計時手段２６による時間の測定が終了すると、割り込み処理Ａ´が開始され、入室判定手段２７によって第二計時手段２６で計時された時間と予めメモリに記憶された所定の微小時間とを比較する（ステップＳ２０１）。
【００７６】
ここで、入室判定手段２７によって第二計時手段２６が所定の微小時間以上と判定された場合、さらに第二計時手段２６が所定の時間以上かどうかを判定する（ステップＳ２０１Ｙｅｓ→Ｓ２０１´）。
【００７７】
第二計時手段２６が所定の時間以上だった場合、使用者が起床して照明をつけたか、朝になったと判定して就寝モード運転を解除する（ステップ２０１´Ｙｅｓ→Ｓ４０１）。
【００７８】
また、第二計時手段２６が所定の時間より小さい場合は、人の入退室があったと判定し第一計時手段２３のリスタートを行う（ステップＳ２０１´Ｎｏ→Ｓ２０２）。
【００７９】
また、第二計時手段２６が所定の微小時間より小さいと判定された場合、人の入退室がなかったと判定し、割り込み処理Ａ´を終了する。
【００８０】
以降の処理は、実施の形態１の割り込み処理ＡのステップＳ２０２からＳ２０３の内容と同様である。
【００８１】
なお、割り込み処理Ａ´は、第二計時手段２６の測定が終了する度に処理するものとする。
【００８２】
以上のように、本実施の形態による加湿装置によれば、使用者が起床したり、朝になったときなど、使用者が活動を開始するタイミングで就寝モードを解除することができるため、起床後もすぐに室内を快適な状態にすることができる。
【００８３】
（実施の形態３）
本発明の第３の実施の形態に係る就寝モードの動作について図８及び図９を用いて説明する。なお図８は、本発明の加湿装置１の就寝モードブロック図である。また図９は、就寝モードのフローチャートである。
【００８４】
なお、図９において、実施の形態１と同様のフローチャートのステップについては説明を省略し、ステップＳ１０２´及び割り込み処理Ｂのフローのみ説明する。
【００８５】
就寝運転モード移行後、累積計時手段２８の測定を開始する（ステップＳ１０２´）。つまり、累積計時手段２８は、就寝モードが実行されてからの累積時間を計時する。
【００８６】
ここで、累積経過判定手段２９は、就寝モード運転を開始した時刻である例えば夜中から朝になるまでの時間を判定するものであり、例えば６時間以上８時間以下とすることができる。つまり、使用者が就寝に入ってから起床するまでの時間が経過すると、自動的に就寝モードを解除する。
【００８７】
累積計時手段２８の計時開始後、割り込み処理Ｂが開始される。この処理は累積経過判定手段２９によって累積経過時間の判定（ステップＳ３０１）を行うもので、ステップＳ１０１からＳ１０５までのフローとは別に常時行われる。
【００８８】
累積経過判定手段２９によって累積計時手段２８が所定の睡眠時間以上と判定された場合、就寝に入ってから朝になったと判定し、就寝モード運転を解除する（ステップＳ３０１Ｙｅｓ→Ｓ４０１）。
【００８９】
以上のように、本実施の形態による加湿装置によれば、時間によって就寝運転モードを解除するため、使用者が自ら就寝運転モードを解除する必要がなくなり、使い勝手の良い加湿装置を提供することができる。
【００９０】
（実施の形態４）
本発明の第４の実施の形態について説明する。本発明の加湿装置１には磁気センサやリードＳＷなどから構成される渇水判定手段９と、貯水タンク３と、異常時やスイッチ操作時等に使用者に音で知らせる警報手段１５を備えている。
【００９１】
貯水タンクの水が空になり渇水判定手段９が渇水状態と判定した場合、制御手段１４は、就寝モードで動作中か否かを判定する。
【００９２】
ここで、就寝モード動作中の場合には、制御手段１４は、警報手段１５に警報音を鳴らす旨の信号を送信せず、待機する。そして、制御手段１４は、就寝モードが解除された後、警報音を鳴らす旨の信号を送信する。
【００９３】
また、就寝モードで動作中でない場合には、制御手段１４は、必要に応じて警報手段１５に警報音を鳴らす旨の信号を送信するように制御する。
【００９４】
以上のように、本実施の形態による加湿装置によれば、就寝中にタンクの水がなくなった場合でも、警報音によって就寝を阻害されず、使用者が快適な就寝をすることができる。
【産業上の利用可能性】
【００９５】
本発明にかかる加湿装置は、一般家庭用の加湿装置に利用できる。
【符号の説明】
【００９６】
１  加湿装置
２  吸気口
３  貯水タンク
４  加湿手段
５  送風機
６  排気口
７  操作・表示パネル
８  湿度センサ
９  渇水判定手段
１０  照度センサ
１１  運転入切スイッチ
１２  風量切替スイッチ
１３  就寝モード移行スイッチ
１４  制御手段
１５  警報手段
１６  送風機制御回路
１７  表示輝度制御回路
１８  湿度表示ＬＥＤ
１９  風量表示ＬＥＤ（弱）
２０  風量表示ＬＥＤ（中）
２１  風量表示ＬＥＤ（強）
２２  就寝モード表示ＬＥＤ
２３  第一計時手段
２４  照度判定手段
２５  就寝判定手段
２６  第二計時手段
２７  入室判定手段
２８  累積計時手段
２９  累積経過判定手段
３０  本体
【図１】
2017058095.tif 000003
【図２】
2017058095.tif 000004
【図３】
2017058095.tif 000005
【図４】
2017058095.tif 000006
【図５】
2017058095.tif 000007
【図６】
2017058095.tif 000008
【図７】
2017058095.tif 000009
【図８】
2017058095.tif 000010
【図９】
2017058095.tif 000011